(57)【要約】【課題】現物合わせによる調整をしなくてもボタンがカタカタと鳴る現象を防止することができる電子機器を提供する。【解決手段】電子機器１０１は、筐体部品１と、外部から押されていないときの第１位置と外部から押されたときの第２位置との間で可逆的に変位可能なように、筐体部品１によって保持されているボタン部２０とを備え、ボタン部２０は、押圧方向から見たときに２以上の異なる側方に向かって突出する２以上の側方突起１４を有し、２以上の側方突起１４の各々は、ボタン部２０が前記第１位置にある状態および前記第２位置にある状態のいずれにおいても筐体部品１に当接している。【選択図】図３
2016184524.tif 000002
【特許請求の範囲】
【請求項１】
筐体部品と、
外部から押されていないときの第１位置と外部から押されたときの第２位置との間で可逆的に変位可能なように、前記筐体部品によって保持されているボタン部とを備え、
前記ボタン部は、押圧方向から見たときに２以上の異なる側方に向かって突出する２以上の側方突起を有し、前記２以上の側方突起の各々は、前記ボタン部が前記第１位置にある状態および前記第２位置にある状態のいずれにおいても前記筐体部品に当接している、電子機器。
【請求項２】
前記２以上の側方突起は、前記ボタン部を平面的に見たときに前記ボタン部の外周のうち互いに対向する位置を避けるように配置されている、請求項１に記載の電子機器。
【請求項３】
前記ボタン部は、第１材料からなる部分と前記第１材料より軟らかい第２材料からなる部分とを含んでおり、前記２以上の側方突起は前記第２材料によって形成されている、請求項１または２に記載の電子機器。
【請求項４】
前記第１材料および前記第２材料はいずれも樹脂であり、前記ボタン部は前記第１材料と前記第２材料との二色成形によって形成されている、請求項３に記載の電子機器。
【請求項５】
前記ボタン部は、押圧方向から見たときに互いに平行な第１長辺および第２長辺を含む長手形状を有しており、前記２以上の側方突起は、前記第１長辺および前記第２長辺に配置されている、請求項１から４のいずれかに記載の電子機器。
【請求項６】
前記２以上の側方突起は、前記第１長辺と前記第２長辺とに同数ずつ分かれて配置されている、請求項５に記載の電子機器。
【発明の詳細な説明】
【技術分野】
【０００１】
本開示は、電子機器に関するものである。
【背景技術】
【０００２】
本体の側部に操作のためのボタンが配置されている電子機器の一例が、特開２０１４−１２０２０３号公報（特許文献１）に記載されている。
【先行技術文献】
【特許文献】
【０００３】
【特許文献１】特開２０１４−１２０２０３号公報
【発明の概要】
【発明が解決しようとする課題】
【０００４】
一般的に、ボタンは裏側に押し子と呼ばれる突出部を有している。ボタンの奥にはスイッチが配置されている。ユーザがボタンを押したときには押し子がスイッチを押すことによって、所望する指示が当該電子機器に電気的に入力される。
【０００５】
ボタンは可動部品によって形成される。ユーザが電子機器を持ち歩く際などに、ボタンがケースなどの外観部品と接触して音が鳴る場合がある。この現象を防ぐためには、ボタンとケース開口部との相対的な寸法を調整することが考えられる。従来は、仕上がったものに対して現物合わせによって調整が行なわれていた。その結果、金型改造費が多くかかっていた。
【０００６】
そこで、本開示は、現物合わせによる調整をしなくてもボタンが鳴る現象を防止することができる電子機器を提供することを目的とする。
【課題を解決するための手段】
【０００７】
上記目的を達成するため、本開示に基づく電子機器は、筐体部品と、外部から押されていないときの第１位置と外部から押されたときの第２位置との間で可逆的に変位可能なように、上記筐体部品によって保持されているボタン部とを備え、上記ボタン部は、押圧方向から見たときに２以上の異なる側方に向かって突出する２以上の側方突起を有し、上記２以上の側方突起の各々は、上記ボタン部が上記第１位置にある状態および上記第２位置にある状態のいずれにおいても上記筐体部品に当接している。
【発明の効果】
【０００８】
本開示によれば、側方突起がボタン部に設けられていることにより、ボタン部は安定して支持されるので、現物合わせによる調整をしなくてもボタンが鳴る現象を防止することができる。
【図面の簡単な説明】
【０００９】
【図１】本開示に基づく実施の形態１における電子機器の斜視図である。
【図２】本開示に基づく実施の形態１における電子機器の側面図である。
【図３】図２におけるＩＩＩ−ＩＩＩ線に関する部分的な矢視断面図である。
【図４】本開示に基づく実施の形態１における電子機器に備わるスイッチなどの斜視図である。
【図５】図３においてボタン部が押された状態の断面図である。
【図６】本開示に基づく実施の形態１における電子機器に備わるボタン部の斜視図である。
【図７】本開示に基づく実施の形態１における電子機器に備わるボタン部の第１の側面図である。
【図８】本開示に基づく実施の形態１における電子機器に備わるボタン部の第２の側面図である。
【図９】本開示に基づく実施の形態１における電子機器に備わるボタン部の下面図である。
【図１０】本開示に基づく実施の形態２における電子機器に備わるボタン部の側面図である。
【図１１】本開示に基づく実施の形態２における電子機器に備わるボタン部の下面図である。
【図１２】図１０におけるＸＩＩ−ＸＩＩ線に関する矢視断面図である。
【図１３】本開示に基づく実施の形態２における電子機器に備わるボタン部の断面図である。
【図１４】本開示に基づく実施の形態２における電子機器の部分断面図である。
【図１５】本開示に基づく実施の形態３における電子機器のボタンが押されていない状態の部分断面図である。
【図１６】本開示に基づく実施の形態３における電子機器のボタンが押された状態の部分断面図である。
【図１７】側方突起の形状の第１の例の平面図である。
【図１８】側方突起の形状の第２の例の平面図である。
【図１９】側方突起の形状の第３の例の平面図である。
【図２０】側方突起の形状の第４の例の平面図である。
【図２１】ボタン部における側方突起の配置の第１の例の平面図である。
【図２２】ボタン部における側方突起の配置の第２の例の平面図である。
【図２３】ボタン部における側方突起の配置の第３の例の平面図である。
【図２４】ボタン部における側方突起の配置の第４の例の平面図である。
【図２５】ボタン部における側方突起の配置の第５の例の平面図である。
【図２６】ボタン部における側方突起の配置の第６の例の平面図である。
【図２７】ボタン部における側方突起の配置の第７の例の平面図である。
【図２８】ボタン部における側方突起の配置の第８の例の平面図である。
【図２９】ボタン部における側方突起の配置の第９の例の平面図である。
【図３０】ボタン部における側方突起の配置の第１０の例の平面図である。
【図３１】ボタン部における側方突起の配置の第１１の例の平面図である。
【発明を実施するための形態】
【００１０】
（実施の形態１）
（構成）
図１〜図９を参照して、本開示に基づく実施の形態１における電子機器について説明する。本実施の形態における電子機器１０１の外観を模式的に図１に示す。電子機器１０１は、ボタン部２０を備える。電子機器１０１を、ボタン部２０が配置されている側の面から見たところを図２に示す。図２におけるＩＩＩ−ＩＩＩ線に関する部分的な矢視断面図を図３に示す。
【００１１】
ここでは、電子機器１０１は板状のものとして示し、ボタン部２０は電子機器１０１の側面に配置されているが、これはあくまで一例であり、電子機器１０１の外観形状はここに示すものに限らない。電子機器１０１は、板状のものとは限らない。電子機器１０１においてボタン部２０が配置される位置は、側面とは限らない。電子機器１０１に備わるボタン部の数は１個とは限らず、２個以上であってもよい。
【００１２】
図３では、ユーザがボタン部２０を押していない状態を示している。図３に示されているスイッチ３などを取り出したときの斜視図を図４に示す。スイッチ３はフレキシブル基板８の表面に設置されている。スイッチ３はドーム状の凸部を含んでおり、この凸部がフレキシブル基板８の厚み方向に押し下げられることによって、オンとなる。押圧されていないときには、スイッチ３はオフ状態となっている。オンとオフの組合せは逆であってもよい。また、スイッチ３の構造としてここで説明したのはあくまで一例であり、これ以外の構造によってスイッチ３が構成されていてもよい。ただし、スイッチ３は、何らかの部材によって押し下げられることによって状態が切り替わるものとする。
【００１３】
電子機器１０１のユーザにとっては、ボタン部２０のうちボタン部本体４の一部のみが見えているのであって、ユーザがボタン部２０を押す場合は、矢印９１のようにボタン部２０への押圧力を加えると考えられる。図３には、ボタン部本体４の中心線８１も示されている。
【００１４】
本実施の形態における電子機器１０１は、筐体部品１と、外部から押されていないときの第１位置と外部から押されたときの第２位置との間で可逆的に変位可能なように、前記筐体部品によって保持されているボタン部２０とを備える。ボタン部２０は、押圧方向から見たときに２以上の異なる側方に向かって突出する２以上の側方突起１４を有し、２以上の側方突起１４の各々は、ボタン部２０が前記第１位置にある状態および前記第２位置にある状態のいずれにおいても筐体部品１に当接している。
【００１５】
図３においてボタン部２０が矢印９１の向きに押された状態を図５に示す。図５に示した例では、突起６が筐体部品１の面７に押し付けられて圧縮変形している。押し子５はスイッチ３を押下しており、スイッチ３はオンとなっている。この状態においても、側方突起１４は筐体部品１に当接した状態にある。
【００１６】
図３は、ボタン部２０が第１位置にある状態を示しており、図５は、ボタン部２０が第２位置にある状態を示している。ボタン部２０が第１位置と第２位置との間を行き来する際には、側方突起１４は筐体部品１に当接した状態を維持し、側方突起１４は筐体部品１を擦過しながら移動することとなる。これらの側方突起１４は、２以上の異なる側方に向かって突出しているので、ボタン部本体４は側方突起１４によって筐体部品１の２つ以上の側の内面に対して突っ張るようにして適度な位置に支持された状態となる。
【００１７】
ボタン部２０を単独で取り出したところを図６〜図９に示す。ボタン部２０の斜視図を図６に示し、側面図を図７に示す。ボタン部２０を図７とは９０°異なる向きから見たところを図８に示す。ボタン部２０を図７における下方から見たところを図９に示す。ボタン部２０は、ボタン部本体４の外縁を取り囲むように張出し部９を備える。
【００１８】
ボタン部２０は裏面に押し子５とは別に、押し子５と同じ向きに突出する突起６を備えているが、突起６の存在は必須ではない。突起６がない構成であってもよい。もし突起６を設ける場合には、突起６はある程度の弾性変形が可能な材料で形成される。突起６は１つに限らず複数設けられてもよい。
【００１９】
（作用・効果）
本実施の形態では、２以上の異なる側方に向かって突出する２以上の側方突起１４がボタン部２０に設けられており、これらの側方突起１４は、ボタン部２０が前記第１位置にある状態および前記第２位置にある状態のいずれにおいても筐体部品１に当接しているので、ボタン部２０は安定して支持される。このような電子機器においては、ボタン部２０が側方突起１４を介して安定して筐体部品１に支持されているので、現物合わせによる調整をしなくてもボタンが鳴る現象を防止することができる。
【００２０】
本実施の形態では、ボタン部２０が張出し部９を備える例を示したが、張出し部９はあってもなくてもよい。張出し部９を設けておくことにより、ボタン部２０が脱落することを防止することができる。また、ボタン部２０の外周の隙間から異物が侵入することを防止することができる。
【００２１】
（実施の形態２）
（構成）
図１０〜図１４を参照して、本開示に基づく実施の形態２における電子機器について説明する。本実施の形態における電子機器においては、基本的な構成は実施の形態１で説明したものと同様であるが、以下の点で異なる。
【００２２】
本実施の形態における電子機器は、外観は図１および図２に示したものと同様であるが、ボタン部の構造が異なる。本実施の形態における電子機器は、図１０〜図１３に示すようなボタン部２１を備える。
【００２３】
ボタン部２１の側面図を図１０に示す。ボタン部２１を裏側から見たところを図１１に示す。ボタン部２１の裏面には押し子５および突起６が突出するように設けられている。ボタン部２１の裏面のうち押し子５および突起６とは別の場所においては、複数の凹部１０が設けられている。ただし、このような凹部１０を設けることは必須ではない。図１０におけるＸＩＩ−ＸＩＩ線に関する矢視断面図を図１２に示す。ボタン部２１の断面図を図１３に示す。
【００２４】
本実施の形態における電子機器に備わるボタン部２１は、第１材料からなる部分２ａと第１材料より軟らかい第２材料からなる部分２ｂとを含んでいる。上述の２以上の側方突起１４は第２材料によって形成されている。
【００２５】
図１３に示すように、ボタン部２１においては、ボタン部本体の側面は主に第１材料からなる部分２ａに属する。ユーザが押す際に触れるオモテ側の中央部分は第２材料からなる部分２ｂに属する。
【００２６】
本実施の形態における電子機器１０２の部分断面図を図１４に示す。筐体部品１によってボタン部２１が保持されている。図１４では、ユーザがボタンを押していない状態、すなわち、ボタン部２１が第１位置にある状態を示している。ユーザは矢印９１の向きにボタンを押す。
【００２７】
ユーザがボタンを押したときには、ボタン部２１は側方突起１４を筐体部品１に擦過させた状態でスイッチ３に向かって平行移動する。この際、側方突起１４は筐体部品１に当接したまま突起６は面７に押し付けられて弾性変形し、押し子５がスイッチ３を押下してスイッチ３はオンとなる。
【００２８】
本実施の形態におけるボタン部２１も、張出し部９を備えるが、張出し部９は、第１材料からなる部分２ａに属する部分と、第２材料からなる部分２ｂに属する部分との両方を含んでいる。もっとも張出し部９自体はあってもなくてもよい。図１１および図１２に示すように、この例では、部分２ｂが外縁に達している箇所が５ヶ所ある。これらの５ヶ所のうち４ヶ所においては、突起１４が設けられている。突起１４は部分２ｂに属する。これらの構成はあくまで一例として示したものである。
【００２９】
（作用・効果）
本実施の形態においても、実施の形態１と同様の効果を得ることができる。
【００３０】
本実施の形態では、軟らかさの異なる２種類の材料からなる部分を含むようにしてボタン部２１が構成されているので、強度が必要な部分は硬い材料で形成しつつ、軟らかい方が好ましい部分は軟らかい材料で形成することができる。特に本実施の形態では、側方突起１４は２種類のうち軟らかい方の材料である第２材料によって形成されているので、側方突起１４が筐体部品１に当接した状態でボタン部２１が移動しても当接面を傷つける度合を軽減することができる。また、突起６も第２材料で形成されていることが好ましい。突起６も第２材料で形成されていれば、突起６が面７に当たった際に円滑に弾性変形することができる。
【００３１】
電子機器が使用され、ボタンが押される度に、側方突起１４は筐体部品１の面に当接した状態で擦過を繰り返すこととなるので、側方突起１４は摩耗に強い材料で形成されていることが好ましい。あるいは、側方突起１４には耐摩耗性を高める表面処理がなされていることが好ましい。
【００３２】
なお、第１材料および第２材料はいずれも樹脂であり、ボタン部２１は第１材料と第２材料との二色成形によって形成されていることが好ましい。第１材料は、たとえばＰＣ（ポリカーボネート）であってもよい。第２材料は、たとえばＴＰＵ（熱可塑性ポリウレタン）であってもよい。第１材料および第２材料がいずれも樹脂であることにより、ボタン部２１を軽量なものとすることができる。また、ボタン部２１を容易に作製することができる。樹脂同士の組合せであることにより、ボタン部２１の二色成形も可能となる。実際に、ボタン部２１が第１材料と第２材料との二色成形によって形成されていれば、これら２種類の材料が堅固に組み合わさって一体化した構成を容易に得ることができる。
【００３３】
（実施の形態３）
（構成）
図１５〜図１６を参照して、本開示に基づく実施の形態３における電子機器について説明する。本実施の形態における電子機器１０３においては、基本的な構成は実施の形態２で説明したものと同様であるが、以下の点で異なる。
【００３４】
本実施の形態における電子機器１０３の部分断面図を図１５に示す。筐体部品１によってボタン部２１が保持されている。図１５では、ユーザがボタンを押していない状態、すなわち、ボタン部２１が第１位置にある状態を示している。ユーザは矢印９１の向きにボタンを押す。電子機器１０３においては、筐体部品１は、押し子５を収容する袋状の防水パッキン１１を保持しており、押し子５は防水パッキン１１を介してスイッチ３を押圧する構成となっている。
【００３５】
ユーザがボタンを押した状態を図１６に示す。図１６では、ボタン部２１が第２位置にある状態を示している。この状態では、スイッチ３の押下は完了しており、スイッチ３はオンとなっている。
【００３６】
本実施の形態で示した例では、防水パッキン１１の内部には補強部材１２が配置されている。補強部材１２は金属からなる。防水パッキン１１が形状を維持するためには、補強部材１２が配置されていることが好ましいが、補強部材１２の存在自体は必須ではない。
【００３７】
（作用・効果）
本実施の形態においても、実施の形態２と同様の効果を得ることができる。
【００３８】
本実施の形態で示した例では、ボタン部２１の押し子５は防水パッキン１１を介してスイッチ３を押圧することとなっており、スイッチ３周辺への水などの進入は防水パッキン１１によって防がれる構造となっている。これにより、スイッチ３が濡れることを防止できるので、防水性能を高めたボタン構造とすることができる。
【００３９】
ボタンが押されることによってボタン部２１が第１位置から第２位置へと移動したときには防水パッキン１１は適宜変形してボタン部２１の動きに追従する。図１５に示した例では、防水パッキン１１のうち押し子５の先端を覆っている部分は、押し子５とスイッチ３とに挟まれることによって圧縮変形し、薄くなっている。防水パッキン１１は弾性体を主材料として形成されているので、このように変形してもボタンの押下が終わった後には元の形状に戻ることができる。
【００４０】
本実施の形態においても、ユーザがボタンを押したときには、ボタン部２１は側方突起１４を筐体部品１に擦過させた状態でスイッチ３に向かって平行移動する。この際、側方突起１４は筐体部品１に当接したまま突起６は面７に押し付けられて弾性変形する一方、押し子５が防水パッキン１１を介してスイッチ３を押下してスイッチ３はオンとなる。本実施の形態においては、突起６は設けられていなくてもよい。
【００４１】
（側方突起の形状について）
これまでの実施の形態で既に述べたように、ボタン部には、側方突起が設けられている。これまで、側方突起の一例として、図６、図９、図１１、図１２には円弧状の凸部としての側方突起１４を示してきた。すなわち、図１７に示すような形状の側方突起を示してきた。しかし、これはあくまで一例であって、側方突起の形状はこれに限られない。たとえば図１８〜図２０に示すような形状の側方突起を備えることとしてもよい。図１８では、側方突起は長方形の突起となっている。図１９では、側方突起は台形の突起となっている。図２０では、側方突起は三角形の突起となっている。１つのボタン部に備わる複数の側方突起が全て同じ形状である必要はなく、１つのボタン部が異なる形状の側方突起を組み合わせて備えることとしてもよい。
【００４２】
（側方突起の配置について）
これまでの実施の形態で既に述べたように、ボタン部の外周には、２以上の異なる側方に向かって突出する２以上の側方突起が設けられている。これらの位置関係について説明する。
【００４３】
図２１に示すように、互いに対向する位置に側方突起が配置されていてもよいが、図２２に示すように互いにずらした位置関係で配置されていることが好ましい。すなわち、ボタン部に設けられる２以上の側方突起は、ボタン部を平面的に見たときにボタン部の外周のうち互いに対向する位置を避けるように配置されていることが好ましい。側方突起が互いに対向する位置に配置されている場合には、ボタン部と筐体部品とを組み合わせる作業の際に側方突起が妨げとなって作業がしにくくなる場合があるが、側方突起がボタン部の外周のうち互いに対向する位置を避けるように配置されていれば、組立作業がしやすくなる。
【００４４】
図２１および図２２では単純な例として側方突起が２つのみの例を示したが、側方突起が３以上ある場合も同様である。たとえば側方突起が４つ配置される場合においても、図２３に示すような配置よりも、図２４に示すような配置の方が好ましい。あるいは、図２５に示すような配置も可能である。ただし、図２５に示した配置に比べて図２４に示すように対称性をもたせた配置の方がボタン部が安定して支持されうるので好ましい。
【００４５】
図２１〜図２５では、ボタン部が長手形状である場合を例にとって、一方の長辺と他方の長辺とで同じ個数ずつの側方突起が配置されている例を示したが、このような配置には限らない。たとえば、図２６〜図２７に示すように、一方の長辺と他方の長辺とで異なる個数の側方突起が配置されていてもよい。この場合も、図２６〜図２７に示すように左右対称に配置されていることが好ましい。
【００４６】
側方突起が設けられるのは長方形のボタン部において２辺のみというわけではない。たとえば図２８に示すように長方形のボタン部において四辺にそれぞれ側方突起が設けられていてもよい。
【００４７】
なお、ボタン部は、押圧方向から見たときに互いに平行な第１長辺および第２長辺を含む長手形状を有しており、前記２以上の側方突起は、前記第１長辺および前記第２長辺に配置されていることが好ましい。
【００４８】
前記２以上の側方突起は、前記第１長辺と前記第２長辺とに同数ずつ分かれて配置されていることが好ましい。
【００４９】
図２９に示すような配置でもよい。図２９では、ボタン部が略正方形である例を示している。
【００５０】
図３０に示すように、ボタン部が略円形であってもよい。このような場合にも、ボタン部の外周に側方突起を設けてよい。図３０に示した例では、１２０°間隔で３つの側方突起が設けられている。
【００５１】
図３１に示すように、ボタン部が楕円形であってもよい。このような場合にも、ボタン部の外周に側方突起を設けてよい。このような場合も、側方突起がボタン部の外周のうち互いに対向する位置を避けるように配置されていることが好ましい。
【００５２】
なお、上記実施の形態のうち複数を適宜組み合わせて採用してもよい。
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００５３】
１  筐体部品、２ａ，２ｂ  部分、３  スイッチ、４  ボタン部本体、５  押し子、６  突起、７  面、８  フレキシブル基板、９  張出し部、１０  凹部、１１  防水パッキン、１２  補強部材、１４  側方突起、２０，２１  ボタン部、８１  中心線、９１  矢印、１０１，１０２，１０３  電子機器。
【図１】
2016184524.tif 000003
【図２】
2016184524.tif 000004
【図３】
2016184524.tif 000005
【図４】
2016184524.tif 000006
【図５】
2016184524.tif 000007
【図６】
2016184524.tif 000008
【図７】
2016184524.tif 000009
【図８】
2016184524.tif 000010
【図９】
2016184524.tif 000011
【図１０】
2016184524.tif 000012
【図１１】
2016184524.tif 000013
【図１２】
2016184524.tif 000014
【図１３】
2016184524.tif 000015
【図１４】
2016184524.tif 000016
【図１５】
2016184524.tif 000017
【図１６】
2016184524.tif 000018
【図１７】
2016184524.tif 000019
【図１８】
2016184524.tif 000020
【図１９】
2016184524.tif 000021
【図２０】
2016184524.tif 000022
【図２１】
2016184524.tif 000023
【図２２】
2016184524.tif 000024
【図２３】
2016184524.tif 000025
【図２４】
2016184524.tif 000026
【図２５】
2016184524.tif 000027
【図２６】
2016184524.tif 000028
【図２７】
2016184524.tif 000029
【図２８】
2016184524.tif 000030
【図２９】
2016184524.tif 000031
【図３０】
2016184524.tif 000032
【図３１】
2016184524.tif 000033